(57)【特許請求の範囲】
【請求項１】
釣り糸を巻き取る電動リールであって、
リール本体と、
前記リール本体に回転自在に支持された糸巻き用のスプールと、
前記スプールを回転させるモータと、
前記モータの駆動を制御するモータ制御部を有するリール制御部と、
前記リール本体の右側部に配置された第１スイッチ操作部と、
前記リール本体の左側部に配置された第２スイッチ操作部と、
前記第１スイッチ操作部及び前記第２スイッチ操作部に割り振られた寸動スイッチモード及び連続スイッチモードを逆に切り換えるスイッチモード切換手段と、
を備え、
前記寸動スイッチモードは、前記第１スイッチ操作部又は前記第２スイッチ操作部がオン操作されているときのみ前記モータを回転させ、前記第１スイッチ操作部又は前記第２スイッチ操作部がオン操作されていないとき前記モータを停止させるスイッチモードであり、
前記連続スイッチモードは、前記第１スイッチ操作部又は前記第２スイッチ操作部が１回オン操作されたときに前記モータを回転させ、前記第１スイッチ操作部又は前記第２スイッチ操作部が再度１回オン操作されたときに前記モータを停止させるスイッチモードである、
電動リール。
【請求項２】
前記リール本体に配置された切換スイッチ操作部をさらに備え、
前記スイッチモード切換手段は、前記切換スイッチ操作部の操作に応じて、前記リール制御部が前記第１スイッチ操作部及び前記第２スイッチ操作部に割り振られた前記寸動スイッチモード及び前記連続スイッチモードを逆に切り換える制御を行う手段である、
請求項１に記載の電動リール。
【請求項３】
前記第１スイッチ操作部及び前記第２スイッチ操作部は、それぞれ前記リール本体の左右側部の対称となる位置に配置されている、
請求項１又は２に記載の電動リール。
【請求項４】
前記第１スイッチ操作部及び前記第２スイッチ操作部は、前記リール本体が片手で把持された場合に当該片手の親指または人差し指でそれぞれ操作可能に前記リール本体の左右側部に配置されている、
請求項１から３のいずれか１項に記載の電動リール。
【請求項５】
前記リール本体に設けられた表示部をさらに備え、
前記リール制御部は、少なくとも前記第１スイッチ操作部及び前記第２スイッチ操作部に前記寸動スイッチモード及び前記連続スイッチモードのいずれが割り振られているかを示す図形を前記表示部に表示する表示制御部をさらに有している、
請求項１から４のいずれか１項に記載の電動リール。
【発明の詳細な説明】
【技術分野】
【０００１】
本発明は、電動リール、特に、釣り糸を巻き取る電動リールに関する。
【背景技術】
【０００２】
電動リールは、たとえば、氷結した湖上やドーム船上からワカサギ等の小魚を釣るときに使用される小型のものが知られている。この種の電動リールは、ティップと呼ばれる比較的短く弾力性のある釣竿が装着されるリール本体と、リール本体に配置され釣り糸を巻き取るスプールと、スプールを回転させるモータと、リール本体の側部に配置されモータの駆動をオン、オフするスイッチ操作部とを備えている。このような電動リールでは、スイッチ操作部をオン操作することによりモータを駆動してスプールを回転させることによって釣り糸を巻き取る。
【０００３】
また、このような電動リールにおいて釣り糸を巻き上げるスイッチ操作部には、スイッチ操作部が１回オン操作されたときにモータを回転させスイッチ操作部が再度１回オン操作されたときにモータを停止させることにより連続的に釣り糸の巻き上げをする連続スイッチと、スイッチ操作部がオン操作されているときのみモータを回転させスイッチ操作部がオン操作されていないときモータを停止させることにより操作スイッチを所定の時間オン操作している間釣り糸の巻き上げをする寸動スイッチとがある。たとえば、連続スイッチを有する電動リールとして、リール本体の右側部に１つのスイッチ（右スイッチ、オート右スイッチ）が配置されたものや、リール本体の左側部に１つのスイッチ（左スイッチ、オート左スイッチ）が配置されたものが知られている（たとえば、特許文献１、非特許文献１参照）。また、寸動スイッチを有する電動リールとして、リール本体の右側部に１つのスイッチ（スタンダード右スイッチ）が配置されたものや、リール本体の左側部に１つのスイッチ（スタンダード左スイッチ）が配置されたものが知られている（たとえば、非特許文献１参照）。また、連続スイッチと寸動スイッチとを有する電動リールとして、リール本体の上部に１つの連続スイッチと２つの寸動スイッチとが配置されたものが知られている（たとえば、特許文献２参照）。
【先行技術文献】
【特許文献】
【０００４】
【特許文献１】特許第４３９２６２７号公報
【特許文献２】特開２００９−２４０２７３号公報
【非特許文献】
【０００５】
【非特許文献１】インターネット＜ＵＲＬ：ｈｔｔｐ：／／ｗｗｗ．ｙｅｔｙ．ｊｐ／ｉｎｄｅｘ．ｈｔｍｌ＞
【発明の概要】
【発明が解決しようとする課題】
【０００６】
前記従来の連続スイッチ又は寸動スイッチを有する電動リールは、リール本体の右側部又は左側部に１つの連続スイッチ又は寸動スイッチしか配置されていないので、連続スイッチ又は寸動スイッチの一方のみしか使用することができないため、釣人はリール本体の右側部又は左側部に連続スイッチを有する電動リールと、リール本体の右側部又は左側部に寸動スイッチを有する電動リールとをそれぞれ別途用意する必要があり、複数の電動リールを用意するのは釣人にとって負担が増加するおそれがある。また、リール本体の上部に１つの連続スイッチと２つの寸動スイッチとが配置された電動リールは、複数の電動リールを用意する必要がなく連続スイッチ又は寸動スイッチを使用することができるが、リール本体の上部の所定の位置に連続スイッチと寸動スイッチとが配置されているため、リール本体の側部を把持する指と異なる指で操作する必要があり、このため、スイッチ操作部の操作性が低下するおそれが生じる。また、この電動リールでは、同じ機能の寸動スイッチが２つ配置されているため、スイッチやスイッチを配置するスペースが別途必要になり、このためリールが大型化したり、リール製造コストが増大したりするそれが生じる。
【０００７】
本発明の課題は、電動リールにおいて、リールを大型化することなく、スイッチ操作部の操作性を向上させることにある。
【課題を解決するための手段】
【０００８】
発明１に係る電動リールは、釣り糸を巻き取る電動リールであって、リール本体と、スプールと、モータと、リール制御部と、第１スイッチ操作部と、第２スイッチ操作部、スイッチモード切換手段とを備えている。スプールは、リール本体に回転自在に支持された糸巻き用のものである。モータは、スプールを回転させる。リール制御部は、モータの駆動を制御するモータ制御部を有する。第１スイッチ操作部は、リール本体の右側部に配置される。第２スイッチ操作部は、リール本体の左側部に配置される。スイッチモード切換手段は、第１スイッチ操作部及び第２スイッチ操作部に割り振られた寸動スイッチモード及び連続スイッチモードを逆に切り換える。寸動スイッチモードは、第１スイッチ操作部又は第２スイッチ操作部がオン操作されているときのみモータを回転させ、第１スイッチ操作部又は第２スイッチ操作部がオン操作されていないときモータを停止させるスイッチモードである。連続スイッチモードは、第１スイッチ操作部又は第２スイッチ操作部が１回オン操作されたときにモータを回転させ、第１スイッチ操作部又は第２スイッチ操作部が再度１回オン操作されたときにモータを停止させるスイッチモードである。
【０００９】
この電動リールでは、スイッチモード切換手段は、リール本体の右側部に配置された第１スイッチ操作部及びリール本体の左側部に配置された第２スイッチ操作部に割り振られた寸動スイッチモード及び連続スイッチモードを逆に切り換える。ここでは、スイッチモード切換手段によって、第１スイッチ操作部に寸動スイッチモードが割り振られ第２スイッチ操作部に連続スイッチモードが割り振られた状態と、第１スイッチ操作部に連続スイッチモードが割り振られ第２スイッチ操作部に寸動スイッチモードが割り振られた状態とを切り換える。ここでは、第１スイッチ操作部と第２スイッチ操作部との２つのスイッチ操作部だけで、寸動スイッチモード及び連続スイッチモードと連続スイッチモード及び寸動スイッチモードとを切り換えることができるので、従来のように同じ機能のスイッチを別途配置する必要がなくなり、このため、リールを大型化することがなくなる。また、第１スイッチ操作部はリール本体の右側部に配置され、第２スイッチ操作部はリール本体の左側部に配置されているので、リール本体の側部を把持する指と同じ指で第１スイッチ操作部及び第２スイッチ操作部を操作することができるので、スイッチ操作部の操作性を向上させることができる。
【００１０】
発明２に係る電動リールは、発明１の電動リールにおいて、リール本体に配置された切換スイッチ操作部をさらに備えている。スイッチモード切換手段は、切換スイッチ操作部の操作に応じて、リール制御部が第１スイッチ操作部及び第２スイッチ操作部に割り振られた寸動スイッチモード及び連続スイッチモードを逆に切り換える制御を行う手段である。この場合、釣人による切換スイッチ操作部の操作によって第１スイッチ操作部及び第２スイッチ操作部に割り振られた寸動スイッチモード及び連続スイッチモードを逆に容易に切り換えることができる。
【００１１】
発明３に係る電動リールは、発明１又は２の電動リールにおいて、第１スイッチ操作部及び第２スイッチ操作部は、それぞれリール本体の左右側部の対称となる位置に配置されている。この場合、第１スイッチ操作部及び第２スイッチ操作部はリール本体の左右側部の対称となる位置に配置されているので、釣人の右手又は左手の同じ指で操作することができる。
【００１２】
発明４に係る電動リールでは、発明１から３のいずれかの電動リールにおいて、第１スイッチ操作部及び第２スイッチ操作部は、リール本体が片手で把持された場合にその片手の親指または人差し指でそれぞれ操作可能にリール本体の左右側部に配置されている。この場合、たとえばリール本体を釣り用の台座や船縁等に載置した状態で、釣人が右手又は左手でリール本体を把持した状態で、把持した右手又は左手の親指または人差し指で、第１スイッチ操作部及び第２スイッチ操作部をそれぞれ操作することができる。
【００１３】
発明５に係る電動リールは、発明１から４のいずれかの電動リールにおいて、リール本体に設けられた表示部をさらに備えている。リール制御部は、少なくとも第１スイッチ操作部及び第２スイッチ操作部に寸動スイッチモード及び連続スイッチモードのいずれが割り振られているかを示す図形を表示部に表示する表示制御部をさらに有している。この場合、表示部に少なくとも第１スイッチ操作部及び第２スイッチ操作部に寸動スイッチモード及び連続スイッチモードのいずれが割り振られているかを示す図形が表示されているので、釣人は現在のスイッチモードを容易に認識できる。
【発明の効果】
【００１４】
本発明によれば、電動リールにおいて、スイッチモード切換手段によって、リール本体の右側部に配置された第１スイッチ操作部及びリール本体の左側部に配置された第２スイッチ操作部に割り振られた寸動スイッチモード及び連続スイッチモードを逆に切り換えできるので、リールを大型化することなく、スイッチ操作部の操作性を向上できる。
【図面の簡単な説明】
【００１５】
【図１】本発明の一実施形態を採用した電動リールの平面図。
【図２】前記電動リールの右側面図。
【図３】前記電動リールを前方から見たときの斜視図。
【図４】リール本体にストッパガイドを装着したときの拡大斜視図。
【図５】前記ストッパガイドの拡大斜視図。
【図６】前記リール本体の前記ストッパガイド装着部の拡大斜視図。
【図７】前記リール本体のスプールを取り外したときの拡大斜視図。
【図８】第１スイッチ操作部が寸動スイッチモードであるときの表示部の拡大平面図。
【図９】第２スイッチ操作部が寸動スイッチモードであるときの前記表示部の拡大平面図。
【図１０】前記電動リールの制御ブロック図。
【図１１】前記スプールの分解斜視図。
【図１２】前記スプールの釣糸係止部装着部の拡大断面図。
【図１３】前記スプールのつまみ部材の拡大断面図。
【図１４】モータ及びモータケースの拡大斜視図。
【図１５】前記モータ及び前記モータケース取付部分の拡大斜視図。
【図１６】仕掛けを降ろしているときの前記電動リールに釣竿を装着したときの右側面図。
【図１７】前記仕掛けを巻き上げたときの前記電動リールに前記釣竿を装着したときの右側面図。
【発明を実施するための形態】
【００１６】
本発明の一実施形態が採用された電動リールは、図１から図３に示すように、たとえば、氷結した湖上やドーム船上からワカサギ等の小魚を釣るときに使用される小型の電動リールである。この電動リールは、ティップと呼ばれる比較的短く弾力性のある釣竿Ｒが前部に装着されるリール本体１と、リール本体１の右上前部に配置され釣り糸Ｌを巻き取るスプール２と、リール本体１の内部に配置されスプール２を回転させるモータ３（図１０及び図１４参照）と、リール本体１の右側部及び左側部に配置されモータ３の駆動をオン、オフする第１スイッチ操作部４及び第２スイッチ操作部５と、リール本体１の上面に配置され各種の情報を表示する表示部６と、リール本体１の上面の表示部６の後部に配置されスイッチモード等の切り換え設定を行う第３スイッチ操作部７及び第４スイッチ操作部８と、リール本体１の上面の表示部６の前部に配置されモータ３のスプール２への回転伝達をオン、オフするクラッチ操作部９とを備えている。また、リール本体１の前部には、釣竿Ｒが装着される筒状に突出した釣竿装着部１ａが形成されており、釣竿装着部１ａ及び釣竿Ｒの基端部外周には、釣り糸Ｌに設けられたストッパＳ（図１７参照）が接触して釣り糸Ｌの巻き取りを停止させるストッパガイド１０が着脱自在に装着されている。このような電動リールでは、第１スイッチ操作部４及び第２スイッチ操作部５をオン操作することによりモータ３を駆動してスプール２を回転させることによって釣り糸Ｌを巻き取る。なお、この電動リールでは、釣り糸Ｌの巻き取りはモータ３の駆動のみによってスプール２を回転させることによって行われ、スプール２を手動で回転させるハンドル等を備えていない。
【００１７】
リール本体１は、図１から図３に示すように、全体を片手で把持可能な大きさとなるように形成され、合成樹脂製の複数のケース部材を組み立てることによって形成された内部に収納空間を有する前後に長い筐状部材である。リール本体１は、図１から図３に示すように、右下前部から前方に突出し釣竿Ｒが装着される円筒状の釣竿装着部１ａと、右上前部が他の部分より凹んで形成されスプール２が配置されるスプール収納凹部１ｂとを有している。釣竿装着部１ａは、図４及び図６に拡大して示すように、リール本体１のスプール収納凹部１ｂの下部から前方に突出する円筒状の部分であって、内周部に釣竿Ｒが装着固定され、外周部に釣り糸Ｌを巻き取っているときに釣り糸Ｌに設けられたストッパＳ（図１７参照）が接触して釣り糸Ｌの巻き取りを停止させるストッパガイド１０が着脱自在に装着されている。
【００１８】
ストッパガイド１０は、図４及び図５に示すように、金属製の線材部材を折り曲げて形成された部材である。ストッパガイド１０は、図５に示すように、釣り糸Ｌが横方向に移動しながら通過可能かつストッパＳが接触して通過不能に横長に形成された接触孔部１０ａと、接触孔部１０ａの下部中央から下方に延びる第１連結部１０ｂと、接触孔部１０ａの下部中央から斜め前下方に延びる第２連結部１０ｃと、第１連結部１０ｂの下部に円環状に形成され釣竿装着部１ａの外周部に着脱自在に装着される第１装着部１０ｄと、第２連結部１０ｃの下部に円環状に形成され釣竿Ｒの基端側外周部に着脱自在に装着される第２装着部１０ｅとを有している。接触孔部１０ａ、第１連結部１０ｂ、第２連結部１０ｃ、第１装着部１０ｄ及び第２装着部１０ｅは、１本の金属製の線材部材を折り曲げて一体成形されている。接触孔部１０ａは、図４に示すように、スプール２の糸巻き部分と同程度の横幅となるように横長に形成された楕円形の孔部であって、釣り糸Ｌが横方向に移動しながら通過可能である。また、接触孔部１０ａは、図１７に示すように、上下幅がストッパＳの直径より小さくなるように形成されており、このため、ストッパＳが接触孔部１０ａに接触して接触孔部１０ａを通過することがない。また、第１装着部１０ｄは、図２から図４に示すように、大径の釣竿装着部１ａの外周部に装着され、第２装着部１０ｅは、小径の釣竿Ｒの基端部外周に装着されており、第１装着部１０ｄの直径は、第２装着部１０ｅの直径より大きくなるように形成されている。また、釣竿装着部１ａの下部には、図６に示すように、下方に膨出し膨出部１ｃが形成されており、膨出部１ｃの外周部には、釣竿装着部１ａの外周部に沿った円弧状の第１溝部１ｄが形成されている。この第１溝部１ｄには、ストッパガイド１０の第１装着部１０ｄの下部が装着されており、これにより、ストッパガイド１０が前後方向に移動するのが規制され、ストッパガイド１０が抜け止めされる。さらに、釣竿装着部１ａの上方には、図６に示すように、リール本体１の前部から前方に突出した第１突出部１ｅ及び第２突出部１ｆが形成されており、第１突出部１ｅと第２突出部１ｆとの間には、ストッパガイド１０の第１連結部１０ｂの下部が挿通可能な第２溝部１ｇが形成されている。ここでは、図４に示すように、第２溝部１ｇにストッパガイド１０の第１連結部１０ｂが挿通されているので、ストッパガイド１０が左右方向に移動するのが規制され、ストッパガイド１０が所定の位置に回り止めされる。
【００１９】
このようなストッパガイド１０を電動リール及び釣竿Ｒを取り付けるには、まず、図６に示すように、釣竿装着部１ａから釣竿Ｒを取り外した状態で、釣竿装着部１ａの外周部にストッパガイド１０の第１装着部１０ｄを装着する。このとき、図４に示すように、ストッパガイド１０の第１連結部１０ｂが第１突出部１ｅと第２突出部１ｆとの間の第２溝部１ｇに挿通されるように位置決めして、ストッパガイド１０の第１装着部１０ｄを膨出部１ｃの第１溝部１ｄに押し込んで装着する。そして、第１溝部１ｄに第１装着部１０ｄが装着された状態で、釣竿Ｒの基端部をストッパガイド１０の第２装着部１０ｅを挿通させてから釣竿装着部１ａに釣竿Ｒを挿入固定する。ストッパガイド１０を電動リール及び釣竿Ｒから取り外すには、取付作業と逆の手順を行えばよい。
【００２０】
次に、図１６に示すように、電動リール及び釣竿Ｒにストッパガイド１０を取り付けた状態で、スプール２に巻き付けられた釣り糸Ｌをストッパガイド１０の接触孔部１０ａを後ろから前方に挿通した後、釣り糸Ｌの先端側からストッパＳを挿通する。ストッパＳは、中央部に釣り糸Ｌの直径よりやや大径の釣糸挿通孔が形成された略球状のビーズであって、ストッパガイド１０の接触孔部１０ａの孔部より大径の部材である。このため、ストッパＳが接触孔部１０ａに接触して接触孔部１０ａを通過することがない。また、ストッパＳは、釣竿Ｒの外周部に取り付けられた最も後側のガイドリングＧの孔部より大径の部材である。このためストッパＳが最も後側のガイドリングＧに接触して最も後側のガイドリングＧを通過することがない。したがって、ストッパＳは、ストッパガイド１０と最も後側のガイドリングＧとの間を前後に移動可能である。そして、釣り糸Ｌの先端を釣竿Ｒの外周部に取り付けられた複数のガイドリングＧを挿通し、釣り糸Ｌの先端に仕掛けＨが取り付けられた道糸Ｍを取り付ける。釣り糸Ｌと道糸Ｍとの間には、結び目Ｋが形成されており、結び目ＫはストッパＳの釣糸挿通孔を挿通不能であるが、結び目Ｋは複数のガイドリングＧを挿通可能である。
【００２１】
この状態で釣り糸を巻き上げていくと、結び目Ｋが最も後側のガイドリングＧを挿通し、結び目ＫがストッパＳに接触する。さらに、釣り糸を巻き上げていくと、結び目ＫがストッパＳをストッパガイド１０の接触孔部１０ａに向かって押して、図１７に示すように、ストッパＳがストッパガイド１０の接触孔部１０ａに接触することによって釣り糸Ｌの巻き取りが停止される。このとき、仕掛けＨは釣竿Ｒの先端の手前で停止するので、仕掛けＨが最も前側のガイドリングＧに巻き込まれることがなくなる。したがって、このようなストッパガイド１０を設けることによって、仕掛けＨをスプール２に巻き込んでしまうことを防止できる。
【００２２】
スプール２は、図１から図３に示すように、リール本体１の右上前部が他の部分より凹んで形成されたスプール収納凹部１ｂの側部に装着されたスプール軸１１（図７参照）に回転可能に支持され、全体がスプール収納凹部１ｂ内に配置されている。また、スプール収納凹部１ｂのスプール２の下部には、図３、図４及び図７に示すように、スプール２からスプール収納凹部１ｂの側部側に釣り糸Ｌが糸落ちし釣り糸Ｌがスプール軸１１に絡みつくのを防止するために、スプール２の外形と対向するように立設された複数の柱状のリブからなる壁部１ｈが形成されている。壁部１ｈは、スプール収納凹部１ｂの側部側底部に立設された複数の柱状のリブを連続的に配置して階段状に形成したものであって、スプール２の下部外周全体を覆うように配置されているので、スプール２に巻かれた釣り糸Ｌが壁部１ｈによってスプール収納凹部１ｂの側部側に糸落ちするのを防止できる。さらに、ここでは、複数の柱状のリブで壁部１ｈを構成しているので、壁部１ｈの肉厚が厚肉化し樹脂成型時のヒケ等による壁部１ｈの変形によって、壁部１ｈとスプール２との位置寸法が不安定になるのを防止できる。
【００２３】
スプール２は、図１１及び図１２に示すように、外周に釣り糸Ｌが巻き付けられる筒状の糸巻胴部２ａと、糸巻胴部２ａの一端に径方向外方に突出して設けられた第１フランジ部２ｂと、糸巻胴部２ａの他端に径方向外方に突出して設けられた第２フランジ部２ｃと、糸巻胴部２ａの内周部を貫通しスプール軸１１が挿通される貫通孔２ｅと、第１フランジ部２ｂの径方向に沿って外周部と貫通孔２ｅとを連通するように形成され釣糸係止部２０が装着される装着溝２ｄとを有している。糸巻胴部２ａは、スプール軸１１よりやや大径の筒状部材である。第１フランジ部２ｂのスプール収納凹部１ｂの側部対向面には、図１１に示すように、２つのマグネット２６が接着固定されている。２つのマグネット２６は、リール本体１の内部に装着された図示しないリードスイッチと対向する位置に配置され、スプール２の回転数を検出するためのものである。貫通孔２ｅには、図１１及び図１２に示すように、釣糸係止部２０の基端部２０ｂを貫通孔２ｅに係止した後に、第１フランジ部２ｂ側の開口から第１軸受部材２１が圧入固定され、第２フランジ部２ｃ側の開口からカラー部材２３が装着された後に、第２フランジ部２ｃ側の開口から第２軸受部材２２が圧入固定されている。第１軸受部材２１及び第２軸受部材２２は、玉軸受であって、外周部が貫通孔２ｅに圧入固定され、内周部がスプール軸１１に固定されている。カラー部材２３は、第１軸受部材２１と第２軸受部材２２との間に配置されるスペーサであって、内周部にスプール軸１１が挿通される筒状部材である。スプール軸１１の先端部には、ナット部材２４がねじ込まれ、Ｏリング２５によって緩み止めされている。ナット部材２４は、図１３に拡大して示すように、スプール軸１１の先端部外周に形成されたねじ部１１ａが螺合するねじ孔２４ａと、ねじ孔２４ａの開口側にねじ孔２４ａより大径に形成され内周部にＯリング２５が圧縮された状態で装着される貫通孔２４ｂと、貫通孔２４ｂの開口側内周部が内側にやや突出した内フランジ部２４ｃとを有している。内フランジ部２４ｃとスプール軸１１との間の隙間は、Ｏリング２５の直径よりやや小さくなるように形成されており、このため、Ｏリング２５を貫通孔２４ｂの内周部に係止した状態でスプール軸１１が挿通される。
【００２４】
釣糸係止部２０は、図１から図３、図１１及び図１２に示すように、基端部２０ｂがスプール２の貫通孔２ｅに係止され、先端部２０ｃがスプール２の第１フランジ部２ｂの外周部に露出して配置され、先端部２０ｃとスプール２の第１フランジ部２ｂの外周部との間で釣り糸Ｌを挟持可能な金属製の線材部材である。釣糸係止部２０は、図２、図３及び図１１に示すように、１本の線材部材を折り曲げて２本の線材形状となるように形成されており、同一形状のものを３つ備えており、３つの釣糸係止部２０が等間隔に配置された３箇所の装着溝２ｄに装着されている。釣糸係止部２０は、図１２に示すように、装着溝２ｄに装着される本体部２０ａと、本体部２０ａの基端側に一体成形された基端部２０ｂと、本体部２０ａの先端側に一体成形された先端部２０ｃとを有している。本体部２０ａは、装着溝２ｄに装着される直線状の部分であって、装着溝２ｄに接着固定される。基端部２０ｂは、第１フランジ部２ｂの装着溝２ｄから貫通孔２ｅの一部が釣糸係止部２０の厚み程度凹んで形成された凹み部２ｆに沿って折り曲げられており、これによって、釣糸係止部２０の基端部２０ｂは、貫通孔２ｅに係止される。先端部２０ｃは、第１フランジ部２ｂの装着溝２ｄから第１フランジ部２ｂの外縁部に沿って折れ曲がるように形成されている。先端部２０ｃと第１フランジ部２ｂの外周部との間には僅かな隙間が生成されており、この隙間に釣り糸Ｌを挟持可能である。
【００２５】
このようなスプール２及び釣糸係止部２０を組み立てるには、まず、１本の線材部材を折り曲げて２本の線材形状となるように形成し、先端部２０ｃを第１フランジ部２ｂの装着溝２ｄから第１フランジ部２ｂの外縁部に沿う形状になるように折り曲げ、基端部２０ｂを第１フランジ部２ｂの装着溝２ｄから貫通孔２ｅの凹み部２ｆに沿う形状になるように予め折り曲げた釣糸係止部２０を用意する。この状態で、図１２に示すように、釣糸係止部２０の基端部２０ｂ及び本体部２０ａを第１フランジ部２ｂの装着溝２ｄに装着し、釣糸係止部２０の基端部２０ｂを貫通孔２ｅに係止する。次に、第１フランジ部２ｂの装着溝２ｄに装着された釣糸係止部２０の本体部２０ａを接着剤により固定する。そして、第１フランジ部２ｂ側の開口から第１軸受部材２１を貫通孔２ｅに圧入固定し、第２フランジ部２ｃ側の開口からカラー部材２３を装着した後に、第２フランジ部２ｃ側の開口から第２軸受部材２２を貫通孔２ｅに圧入固定する。次に、スプール軸１１を第２軸受部材２２、カラー部材２３、第１軸受部材２１の順に挿通させ、スプール軸１１の先端部のねじ部１１ａにＯリング２５を貫通孔２４ｂの内周部に係止した状態のナット部材２４のねじ孔２４ａを螺合することによって、スプール２はスプール軸１１に回転可能に支持される。
【００２６】
モータ３は、リール本体１の内部に配置され、モータ３の回転をスプール軸１１に伝達することによって、スプール２を回転させる。この回転伝達機構内には、図示しないクラッチ機構を有しており、クラッチ操作部９（図１参照）のオン、オフ操作によって、回転伝達がオン、オフされる。モータ３は、図１４に示すように、鋼板により形成されたモータホルダ４０に装着されており、モータホルダ４０に装着されたモータ３をモータホルダ４０ごとスプール軸１１に接触、離反させることによって、クラッチのオン、オフを行っている。このようなモータホルダ４０にモータ３を取り付けるには、図１５に拡大して示すように、モータ３に予め形成されている係合溝３ａにモータホルダ４０の係合突起４０ａを折り曲げて係合させることによって固定している。ここでは、モータ３に予め形成されている係合溝３ａを用いることにより、モータホルダ４０にモータ３を取り付けるためにモータ３を加工する必要がなくなる。また、モータ３に予め形成されている凹部や溝部は、モータホルダ４０にモータ３を取り付ける前に、シリコンボンドが塗布したり、あるいは、テープを貼付することによって塞がれており、これにより、モータ３を防水することができる。
【００２７】
第１スイッチ操作部４は、図１から図３に示すように、リール本体１の右側部に配置され、モータ３の駆動をオン、オフするスイッチである。第２スイッチ操作部５は、図１に示すように、リール本体１の左側部に配置されモータ３の駆動をオン、オフするスイッチである。第１スイッチ操作部４及び第２スイッチ操作部５は、図１に示すように、それぞれリール本体１の左右側部の対称となる位置に配置されている。リール本体１は、全体を片手で把持可能な大きさとなるように形成されている。第１スイッチ操作部４及び第２スイッチ操作部５は、それぞれ親指または人差し指で操作可能なリール本体の左右側部に配置されている。具体的には、左手で操作する場合には、第１スイッチ操作部４を親指で操作可能であり、第２スイッチ操作部５を人差し指で操作可能である。また、右手で操作する場合には、第１スイッチ操作部４を人差し指で操作可能であり、第２スイッチ操作部５を親指で操作可能である。このような第１スイッチ操作部４及び第２スイッチ操作部５には、モータ３の駆動をさせるスイッチモードとして、寸動スイッチモードと連続スイッチモードとの２つのスイッチモードが割り当てられている。具体的には、寸動スイッチモードは、第１スイッチ操作部４又は第２スイッチ操作部５がオン操作されているときのみモータ３を回転させ、第１スイッチ操作部４又は第２スイッチ操作部５がオン操作されていないときモータ３を停止させるスイッチモードである。また、連続スイッチモードは、第１スイッチ操作部４又は第２スイッチ操作部５が１回オン操作されたときにモータ３を回転させ、第１スイッチ操作部４又は第２スイッチ操作部５が再度１回オン操作されたときにモータ３を停止させるスイッチモードである。そして、第３スイッチ操作部７及び第４スイッチ操作部８を同時押しすることによって、リール本体１右側部に配置された第１スイッチ操作部４及びリール本体１左側部に配置された第２スイッチ操作部５に割り振られた寸動スイッチモード及び連続スイッチモードを逆に切り換えるようになっている。このようなスイッチモードの切り換えは、後述するリール制御部３０（図１０参照）が第３スイッチ操作部７及び第４スイッチ操作部８を同時押しを検出すると、リール制御部３０が第１スイッチ操作部４及び第２スイッチ操作部５に寸動スイッチモード又は連続スイッチモードの機能を割り当てる制御を行うことによって、スイッチモードを切り換えている。
【００２８】
表示部６は、図１に示すように、リール本体１の上面に配置され、各種の情報を表示するセグメント方式の液晶ディスプレイであって、クラッチ操作部９と第３スイッチ操作部７及び第４スイッチ操作部８との間に配置されている。表示部６は、図８及び図９に拡大して示すように、上部に配置され仕掛けの水深を表示する水深表示部６ａと、水深表示部６ａの下部左側に配置されバッテリの残量を表示するバッテリ残量表示部６ｂと、水深表示部６ａの下部中央に配置され第１スイッチ操作部４が寸動スイッチモードであるときＲの図形（図８参照）を表示し、第２スイッチ操作部５が寸動スイッチモードであるときＬの図形（図９参照）を表示して第１スイッチ操作部４及び第２スイッチ操作部５の状態を表示するスイッチ操作部状態表示部６ｃと、水深表示部６ａの下部右側に配置されスプール２の回転速度を表示する速度表示部６ｄとを有している。ここでは、図８に示すように、スイッチ操作部状態表示部６ｃにＲの図形が表示されているときは、第１スイッチ操作部４が寸動スイッチモードであり、第２スイッチ操作部５が連続スイッチモードであることを示している。また、図９に示すように、スイッチ操作部状態表示部６ｃにＬの図形が表示されているときは、第２スイッチ操作部５が寸動スイッチモードであり、第１スイッチ操作部４が連続スイッチモードであることを示している。
【００２９】
第３スイッチ操作部７及び第４スイッチ操作部８は、図１に示すように、リール本体１の上面に配置されスイッチモード等の切り換え設定を行うスイッチである。第３スイッチ操作部７及び第４スイッチ操作部８は、表示部の後部に配置され、右側に第３スイッチ操作部７が位置し、左側に第４スイッチ操作部８が位置するように並べて配置されている。ここでは、第３スイッチ操作部７及び第４スイッチ操作部８を同時押しすることによって、リール本体１右側部に配置された第１スイッチ操作部４及びリール本体１左側部に配置された第２スイッチ操作部５に割り振られた寸動スイッチモード及び連続スイッチモードを逆に切り換える。
【００３０】
リール本体１の内部には、ＣＰＵ、ＲＡＭ、ＲＯＭ、Ｉ／Ｏインターフェイス等を含むマイクロコンピュータを含むリール制御部３０（図１０参照）が配置されている。リール制御部３０は、図１０に示すように、第１スイッチ操作部４、第２スイッチ操作部５、第３スイッチ操作部７及び第４スイッチ操作部８の各種のスイッチ操作部と、スプール２の回転方向及び回転数（回転位置データ）を検出するためのスプールセンサ４１及びスプールカウンタ４２と、モータ３に流れる電流値を検出する電流値検出部４４と、制御プログラムに従ってモータ３の駆動制御を行うモータ制御部３１と、表示部６の表示制御を行う表示制御部３２と、各種のデータを記憶する記憶部４３と、他の入出力部とが接続されている。スプールセンサ４１は、前後に並べて配置された２つのリードスイッチから構成されている。リードスイッチは、スプール２に装着された２個のマグネット２６を検出する。この検出パルスをスプールカウンタ４２で計数することでスプール２の回転数を検出できる。また、いずれのリードスイッチが先に検出パルスを発したかによりスプール２の回転方向を検出できる。スプールカウンタ４２は、スプールセンサ４１のオンオフ回数を計数するカウンタであり、この計数値によりスプール回転数に関する回転位置データが得られる。スプールカウンタ４２は、スプール２が正転（糸繰り出し方向の回転）すると計数値が減少し、逆転すると増加する。記憶部４３はたとえばＥＥＰＲＯＭ等の不揮発メモリからなり、学習結果のデータや糸長算出時に使用する各種のデータ等が記憶されている。電流値検出部４４は、モータ３に流れる電流値を検出する電流計測センサである。モータ制御部３１は、スプール２の回転数に応じた所定の位置（たとえば仕掛けＨが釣竿Ｒの先端部位置、すなわち船縁位置）自動的にモータ３の駆動を停止して釣り糸Ｌの巻き取りを停止させる船縁停止機能を実現させている。具体的には、モータ制御部３１は、スプールカウンタ４２により検出されたスプール２の回転数が予め設定されたモータ３の駆動を停止させるスプール２の回転数から所定の範囲（たとえば船縁停止位置から所定の距離）内にあるとき、電流値検出部４４により検出されたモータ３に流れる電流に応じて、モータ３の駆動を停止する制御を行う。ここでは、予め設定された船縁停止位置の所定の範囲内にあるとき、たとえばモータ３に大きな電流が流れたとき、すなわち、モータ３に大きな負荷が生じたときにモータ３の駆動を停止させることができるので、ストッパＳがストッパガイド１０に強く引き込まれてストッパＳ及びストッパガイド１０が破損するのを防止できる。
【００３１】
この電動リールでは、第３スイッチ操作部７及び第４スイッチ操作部８を同時押しすることによって、リール本体１右側部に配置された第１スイッチ操作部４及びリール本体１左側部に配置された第２スイッチ操作部５に割り振られた寸動スイッチモード及び連続スイッチモードを逆に切り換える。ここでは、第３スイッチ操作部７および第４スイッチ操作部８を同時押しすることによって、第１スイッチ操作部４に寸動スイッチモードが割り振られ第２スイッチ操作部５に連続スイッチモードが割り振られた状態と、第１スイッチ操作部４に連続スイッチモードが割り振られ第２スイッチ操作部５に寸動スイッチモードが割り振られた状態とを切り換える。ここでは、第１スイッチ操作部４と第２スイッチ操作部５との２つのスイッチ操作部だけで、寸動スイッチモード及び連続スイッチモードと連続スイッチモード及び寸動スイッチモードとを切り換えることができるので、従来のように同じ機能のスイッチを別途配置する必要がなくなり、このため、リールを大型化することがなくなる。また、第１スイッチ操作部４はリール本体１の右側部に配置され、第２スイッチ操作部５はリール本体１の左側部に配置されているので、リール本体１の側部を把持する指と同じ指（親指及び人差し指）で第１スイッチ操作部４及び第２スイッチ操作部５を操作することができるので、スイッチ操作部の操作性を向上できる。
【００３２】
〔他の実施形態〕
（ａ）  前記実施形態では、第３スイッチ操作部７および第４スイッチ操作部８を同時押しすることによって、第１スイッチ操作部４及び第２スイッチ操作部５に割り振られた寸動スイッチモード及び連続スイッチモードを逆に切り換えていたが、たとえば１つの切換スイッチのみを設け、この切換スイッチを押圧操作して切り換える構成にしてもよい。
【００３３】
（ｂ）  前記実施形態では、第３スイッチ操作部７および第４スイッチ操作部８を同時押しすることによって、リール制御部３０がスイッチモードを切り換える制御を行っていたが、たとえば第１スイッチ操作部４及び第２スイッチ操作部５や、リール制御部３０から第１スイッチ操作部４及び第２スイッチ操作部５への配線部をそれぞれ１つのユニットとしてリール本体１から取り外し、これらのユニットを左右逆にして取り付けられるようにする等、ハード的に寸動スイッチモード及び連続スイッチモードを逆に切り換えるスイッチモード切換手段を構成してもよい。
【００３４】
（ｃ）  前記実施形態では、表示部６のスイッチ操作部状態表示部６ｃには、第１スイッチ操作部４が寸動スイッチモードであるときＲの図形を表示し、第２スイッチ操作部５が寸動スイッチモードであるときＬの図形を表示していたが、これらに限定されるものではなく、第１スイッチ操作部４が連続スイッチモードであるときＬの図形を表示し、第２スイッチ操作部５が連続スイッチモードであるときＲの図形を表示してもよい。また、第１スイッチ操作部４及び第２スイッチ操作部５の両方のスイッチモードを寸動スイッチモード又は連続スイッチモードの文字により表示部６のスイッチ操作部状態表示部６ｃ表示する構成にしてもよい。
【符号の説明】
【００３５】
１  リール本体
１ａ  釣竿装着部
１ｂ  スプール収納凹部
１ｃ  膨出部
１ｄ  第１溝部
１ｅ  第１突出部
１ｆ  第２突出部
１ｇ  第２溝部
１ｈ  壁部
２  スプール
２ａ  糸巻胴部
２ｂ  第１フランジ部
２ｃ  第２フランジ部
２ｄ  装着溝
２ｅ  貫通孔
２ｆ  凹み部
３  モータ
３ａ  係合溝
４  第１スイッチ操作部
５  第２スイッチ操作部
６  表示部
６ａ  水深表示部
６ｂ  バッテリ残量表示部
６ｃ  スイッチ操作部状態表示部
６ｄ  速度表示部
７  第３スイッチ操作部
８  第４スイッチ操作部
９  クラッチ操作部
１０  ストッパガイド
１０ａ  接触孔部
１０ｂ  第１連結部
１０ｃ  第２連結部
１０ｄ  第１装着部
１０ｅ  第２装着部
１１  スプール軸
１１ａ  ねじ部
２０  釣糸係止部
２０ａ  本体部
２０ｂ  基端部
２０ｃ  先端部
２１  第１軸受部材
２２  第２軸受部材
２３  カラー部材
２４  ナット部材
２４ａ  ねじ孔
２４ｂ  貫通孔
２４ｃ  内フランジ部
２５  Ｏリング
２６  マグネット
３０  リール制御部
３１  モータ制御部
３２  表示制御部
４０  モータホルダ
４０ａ  係合突起
４１  スプールセンサ
４２  スプールカウンタ
４３  記憶部
４４  電流値検出部
Ｇ  ガイドリング
Ｈ  仕掛け
Ｋ  結び目
Ｌ  釣り糸
Ｍ  道糸
Ｒ  釣竿
Ｓ  ストッパ
【図１】
0005707074.tif 000002
【図２】
0005707074.tif 000003
【図３】
0005707074.tif 000004
【図４】
0005707074.tif 000005
【図５】
0005707074.tif 000006
【図６】
0005707074.tif 000007
【図７】
0005707074.tif 000008
【図８】
0005707074.tif 000009
【図９】
0005707074.tif 000010
【図１０】
0005707074.tif 000011
【図１１】
0005707074.tif 000012
【図１２】
0005707074.tif 000013
【図１３】
0005707074.tif 000014
【図１４】
0005707074.tif 000015
【図１５】
0005707074.tif 000016
【図１６】
0005707074.tif 000017
【図１７】
0005707074.tif 000018